(57)【要約】      （修正有）【課題】田畑を荒らすサル・シカ・イノシシ・アライグマ・アナグマ・ハクビシン・タヌキ・クマ等の動物や、住宅地のゴミステーション等を荒らす野良猫・カラス等の動物、また泥棒・空き巣被害対策に効果を発揮する、手軽で効率の良い爆音装置を提供する。【解決手段】待機状態時には一切作動せず、対象者が近づいてきた場合のみ爆発音を発生し威嚇効果を最大に高めた物である。また１００Ｖコンセントの無い場所でも簡単に設置ができ、安価で場所を選ばず、簡単に動物や不審者を追い払うことが出来る「赤外線センサー方式獣害威嚇装置」である。【選択図】図−１
2016073266.tif 000002
【特許請求の範囲】
【請求項１】
赤外線センサーと、クラッカーボール（かんしゃく玉）爆破装置を融合させた『獣害爆音威嚇装置』。
【請求項２】
赤外線センサーと、スターターピストル用雷管爆破装置を融合させた『獣害爆音威嚇装置』。
【請求項３】
ステンレス製円柱を落下させて、衝撃によりクラッカーボール（かんしゃく玉）を爆発させる方式の『獣害爆音威嚇装置』。
【請求項４】
ステンレス製円柱を落下させて、スターターピストル用雷管を爆発させる方式の『獣害爆音威嚇装置』。
【請求項５】
ステンレス製円柱の落下位置の制度を上げる為、長さ１ｍ弱、内径約２０ｍｍの円筒状の内部を滑らせて落下させる方式の『獣害爆音威嚇装置』。
【請求項６】
ステンレス製円柱を落下させるスイッチとして、ＤＣ電磁ソレノイドを採用した『獣害爆音威嚇装置』。
【請求項７】
クラッカーボール（かんしゃく玉）に、ロウソクのロウを湯煎コーティングする事により乾燥状態を保持したクラッカーボール（かんしゃく玉）。
【請求項８】
スターターピストル用雷管を、ロウソクのロウで湯煎コーティングする事により乾燥状態を保持したスターターピストル用雷管。
【請求項９】
クラッカーボール（かんしゃく玉）を、撥水スプレーでコーティングする事により乾燥状態を保持したクラッカーボール（かんしゃく玉）。
【請求項１０】
スターターピストル用雷管を撥水スプレーでコーティングする事により、乾燥状態を保持したスターターピストル用雷管。
【請求項１１】
クラッカーボール（かんしゃく玉）をサランラップで覆う事により、雨や夜露から乾燥状態を保持したクラッカーボール（かんしゃく玉）。
【請求項１２】
スターターピストル用雷管をサランラップで覆う事により、雨や夜露から乾燥状態を保持したスターターピストル用雷管。
【発明の詳細な説明】
【技術分野】
【０００１】  本発明は、田畑を荒らすサル・シカ・イノシシ・アライグマ・アナグマ・ハクビシン・タヌキ・クマ等の動物や、住宅地のゴミステーション等を荒らす野良猫・カラス等の動物、また泥棒・空き巣被害対策に効果を発揮する、手軽で効率の良い爆音装置に関する。
【背景技術】
【０００２】  田畑の米・野菜等の作物が、サル・イノシシ・シカ等により食い荒らされており、これらの侵入を防ぐ為に金網・ネット等を周辺に張っても飛び越えたり底部からもぐり込んだりして侵入した。また、プロパンガス式の爆音器を用いても定期的に爆発するものだった事から、動物がこれを学習して次に爆発するまでに田畑を荒らしたので効果が無かった。【０００３】  墓地のお供え物の団子やお供え物を、サル・カラス等により食い荒らされていた。【０００４】  泥棒・空き巣・不審者が住宅の敷地に侵入した場合、センサーライトはあるが、防犯範囲は１００Ｖコンセントの周辺だけで、十分なセキュリティ効果が得られなかった。
【発明が解決しようとする課題】
【０００５】  ところが、上記従来の手段においては、田畑にサル・イノシシ・シカ等の侵入を防ごうと、あらゆる手段を講じても侵入され、被害にあった。
【０００６】  墓地の周辺または住宅街では、田畑のような金網・ネット・電気牧柵・爆音器等を設置できない環境であり、そのような物を設置したとしても、サル・カラス・猫には、まったく効果が期待出来なかった。
【０００７】  従来は、泥棒・空き巣・不審者が住宅の敷地に侵入した場合、家の中まで侵入されたケースが多く、被害が多発した。
【０００８】  このように従来の田畑および住宅の敷地において、被害に合わない防止策として講じる費用は莫大なものになり、その反面効果が低く、いずれの面でも多くの問題点があった。
このような背景のもとで、今までの獣害対策および防犯対策の概念をまったく異にした物を開発したのである。
この赤外線センサーをスイッチにした事から、対象者の動きに反応して爆発する為、効果が著しく上がった。
【課題を解決するための手段】
【０００９】  しかして、本発明は、このような技術背景のもとで鋭意研究を進めた結果、従来の金網・ネット・電気牧柵・不審者侵入セキュリティを使用する事無く、逆転発想的な方法で本発明をさせるに至った。
【００１０】  すなわち、本発明は（１）、赤外線センサーライトの信号をスイッチにして、クラッカーボール（またはスターターピストル用雷管）を爆発させる装置である。
【００１１】  そして、（２）、本発明である『クラッカーボール（またはスターターピストル用雷管）を爆発させる方法』として、ハンマーとなる『ステンレス製円柱』を、約７０ｃｍの高さから落下させ、あらかじめ落下位置に用意しておいたクラッカーボール（またはスターターピストル用雷管）を爆発させる方式である。
そして、（３）、本発明である『ステンレス製円柱』を落下させるスイッチとして『ＤＣ電磁ソレノイド』を応用した方式である。
そして、（４）、最近のセンサーライトはＬＥＤ球が主流になっている事から、センサーから出た信号の電流が小さすぎる為、電流を約五千倍〜２万倍に増幅させてから電磁ソレノイドを作動させる方式である。
そして、クラッカーボールが雨などにさらされても乾燥状態を保持する方法として▲１▼『ロウソクを湯煎し表面をコーティング処理』▲２▼『撥水スプレーで表面をコーティング処理』▲３▼サランラップを上から被せるなどの方法を採用しクラッカーボール（スターターピストル用雷管）を爆発させる方式である。
【発明を実施するための形態】
【００１２】  以下、本発明に係る実施の形態を、図面にもとづき、その作用と併せて詳細に説明する。
【００１３】  〔第１の実施の形態〕
図−１は、第１の実施の形態の、動物が近づいたら赤外線センサーが作動し、電磁ソレノイドが連動し、ステンレスの円柱を落下させて爆発させる全体像である。
図−２は、動物が近づいたら赤外線センサーが作動し、電磁ソレノイドが連動し、ステンレスの円柱を落下させて爆発させる全体像を後ろから見た全体像である。
図−２は、▲１▼パイプ内部の最上部に装着したステンレス製円柱が落下しないように落下防止ピンを設けた全体像である。
▲２▼動物が近づいたらセンサーが反応し、電磁ソレノイドが作動し、パイプ内部の固定ピンが外れてステンレス製円柱が落下する全体像である。
▲３▼落下点にセットしておいたクラッカーボール（またはスターター用雷管）が爆発する全体像である。
図−３は、パイプに縦溝（幅約１ｍｍ長さ約２０ｍｍ）を切り抜いて作り、パイプの外から『固定ピン』を差し込めるようにした拡大図である。
図−４は、電磁ソレノイドが作動したら固定ピンが外れてステンレス円柱が落下する仕組みを表した拡大図である。
【図面の簡単な説明】
【図１】  図１は、第１の実施の形態における赤外線センサーと、クラッカーボール（またはスターターピストル用雷管）を爆発させる装置の全体図を示す。
【符号の説明】Ａ・・・赤外線センサー
Ｂ・・・ステンレスの円柱
Ｃ・・・ステンレス円柱ガイドパイプ
Ｄ・・・ガイドパイプ固定器具
Ｅ・・・クラッカーボール（またはスターター用雷管）待機皿
Ｆ・・・ステンレス円柱固定ピン
Ｇ・・・電磁ソレノイド
Ｈ・・・全体を支える本体
【図−１】
2016073266.tif 000003
【図−２】
2016073266.tif 000004
【図−３】
2016073266.tif 000005
【図−４】
2016073266.tif 000006
【手続補正書】
【提出日】平成27年2月25日(2015.2.25)
【手続補正１】
【補正対象書類名】明細書
【補正対象項目名】全文
【補正方法】変更
【補正の内容】
【発明の詳細な説明】
【技術分野】
【０００１】  本発明は、田畑を荒らすサル・シカ・イノシシ・アライグマ・アナグマ・ハクビシン・タヌキ・クマ等の動物や、住宅地のゴミステーション等を荒らす野良猫・カラス等の動物、また泥棒・空き巣被害対策に効果を発揮する、手軽で効率の良い爆音装置に関する。
【背景技術】
【０００２】  田畑の米・野菜等の作物が、サル・イノシシ・シカ等により食い荒らされており、これらの侵入を防ぐ為に金網・ネット等を周辺に張っても飛び越えたり底部からもぐり込んだりして侵入した。また、プロパンガス式の爆音器を用いても定期的に爆発するものだった事から、動物がこれを学習して次に爆発するまでに田畑を荒らしたので効果が無かった。【０００３】  墓地のお供え物の団子やお供え物を、サル・カラス等により食い荒らされていた。【０００４】  泥棒・空き巣・不審者が住宅の敷地に侵入した場合、センサーライトはあるが、防犯範囲は１００Ｖコンセントの周辺だけで、十分なセキュリティ効果が得られなかった。
【発明が解決しようとする課題】
【０００５】  ところが、上記従来の手段においては、田畑にサル・イノシシ・シカ等の侵入を防ごうと、あらゆる手段を講じても侵入され、被害にあった。
【０００６】  墓地の周辺または住宅街では、田畑のような金網・ネット・電気牧柵・爆音器等を設置できない環境であり、そのような物を設置したとしても、サル・カラス・猫には、まったく効果が期待出来なかった。
【０００７】  従来は、泥棒・空き巣・不審者が住宅の敷地に侵入した場合、家の中まで侵入されたケースが多く、被害が多発した。
【０００８】  このように従来の田畑および住宅の敷地において、被害に合わない防止策として講じる費用は莫大なものになり、その反面効果が低く、いずれの面でも多くの問題点があった。
このような背景のもとで、今までの獣害対策および防犯対策の概念をまったく異にした物を開発したのである。
この赤外線センサーをスイッチにした事から、対象者の動きに反応して爆発する為、効果が著しく上がった。
【課題を解決するための手段】
【０００９】  しかして、本発明は、このような技術背景のもとで鋭意研究を進めた結果、従来の金網・ネット・電気牧柵・不審者侵入セキュリティを使用する事無く、逆転発想的な方法で本発明をさせるに至った。
【００１０】  すなわち、本発明は（１）、赤外線センサーライトの信号をスイッチにして、クラッカーボール（またはスターターピストル用雷管）を爆発させる装置である。
【００１１】  そして、（２）、本発明である『クラッカーボール（またはスターターピストル用雷管）を爆発させる方法』として、ハンマーとなる『ステンレス製円柱』を、約７０ｃｍの高さから落下させ、あらかじめ落下位置に用意しておいたクラッカーボール（またはスターターピストル用雷管）を爆発させる方式である。
そして、（３）、本発明である『ステンレス製円柱』を落下させるスイッチとして『ＤＣ電磁ソレノイド』を応用した方式である。
そして、（４）、最近のセンサーライトはＬＥＤ球が主流になっている事から、センサーから出た信号の電流が小さすぎる為、電流を約五千倍〜２万倍に増幅させてから電磁ソレノイドを作動させる方式である。
そして、クラッカーボールが雨などにさらされても乾燥状態を保持する方法として▲１▼『ロウソクを湯煎し表面をコーティング処理』▲２▼『撥水スプレーで表面をコーティング処理』▲３▼サランラップを上から被せるなどの方法を採用しクラッカーボール（スターターピストル用雷管）を爆発させる方式である。
【発明を実施するための形態】
【００１２】  以下、本発明に係る実施の形態を、図面にもとづき、その作用と併せて詳細に説明する。
【００１３】  図−１は、第１の実施の形態の、動物が近づいたら赤外線センサーが作動し、電磁ソレノイドが連動し、ステンレスの円柱を落下させて爆発させる全体像である。
図−２は、動物が近づいたら赤外線センサーが作動し、電磁ソレノイドが連動し、ステンレスの円柱を落下させて爆発させる全体像を後ろから見た全体像である。
図−２は、▲１▼パイプ内部の最上部に装着したステンレス製円柱が落下しないように落下防止ピンを設けた全体像である。
▲２▼動物が近づいたらセンサーが反応し、電磁ソレノイドが作動し、パイプ内部の固定ピンが外れてステンレス製円柱が落下する全体像である。
▲３▼落下点にセットしておいたクラッカーボール（またはスターター用雷管）が爆発する全体像である。
図−３は、パイプに縦溝（幅約１ｍｍ長さ約２０ｍｍ）を切り抜いて作り、パイプの外から『固定ピン』を差し込めるようにした拡大図である。
図−４は、電磁ソレノイドが作動したら固定ピンが外れてステンレス円柱が落下する仕組みを表した拡大図である。
【図面の簡単な説明】
【００１４】
【図−１】  図１は、第１の実施の形態における赤外線センサーと、クラッカーボール（またはスターターピストル用雷管）を爆発させる装置の全体図を示す。
【図−２】  図２は、第１の実施の形態における赤外線センサーと、クラッカーボール（またはスターターピストル用雷管）を爆発させる装置の背面の全体図を示す。
【図−３】  図３は、Ｂステンレス円柱を、Ｃステンレスガイドパイプに装着する際の拡大図であり、またＧ電磁ソレノイドに電流が流れていない状態で、Ｆステンレス円柱を固定するピンが作動する前の図である。
【図−４】  図４は、動物が接近してきた際、赤外線センサーが作動し、Ｇ電磁ソレノイドが作動し、Ｆステンレス円柱を固定するピンが外れる事によって、ステンレス円柱が引力により落下し、落下地点に用意しておいたクラッカーボールが爆発する。
【符号の説明】
【００１５】Ａ・・・赤外線センサー
Ｂ・・・ステンレスの円柱
Ｃ・・・ステンレス円柱ガイドパイプ
Ｄ・・・ガイドパイプ固定器具
Ｅ・・・クラッカーボール（またはスターター用雷管）待機皿
Ｆ・・・ステンレス円柱固定ピン
Ｇ・・・電磁ソレノイド
Ｈ・・・全体を支える本体